(57)【要約】【課題】ＣＯ警報器などの警報器で、急迫したメッセージの警報（第１の警報音）を出力する機能と穏やかなメッセージの警報（第２の警報音）を出力する機能とを切り換えスイッチで選択設定できるものにおいて、出荷時に音声切換えのデフォルト設定を正常な状態に統一する。【解決手段】パーソナルコンピュータ１００との間でシリアル通信を行って、警報器の検査と出荷モードへの設定を行う。切り換えスイッチ１４の操作により、穏やかなメッセージの音声切換え「ＳＯＦＴ」に設定されている場合、及び、故障が有る場合には、出荷モードへの設定を禁止し、パーソナルコンピュータ１００に対してＮＧ応答を送信する。切り換えスイッチ１４の操作により、急迫したメッセージの音声切換え「ＨＡＲＤ」に設定されている場合、かつ、故障が無い場合に、出荷モードに設定する。【選択図】図１
2011086075.tif 000002
【特許請求の範囲】
【請求項１】
複数の機能を選択切り換えするための切り換えスイッチを有するとともに、電池で稼働して設置領域の異常を監視し、異常が検出されたときに警報を出力する警報器を外部コンピュータにより検査する警報器の機能検査方法であって、
前記外部コンピュータから前記警報器に出荷モード要求信号を送信し、該警報器で該出荷モード要求信号の受信により、前記切り換えスイッチの設定状態を判定し、該設定状態が予め決められた１の機能を選択する状態である場合に、当該警報器を電池消耗削減状態である出荷モードに設定し、該切り換えスイッチの設定状態が上記１の機能を選択する状態でない場合に出荷モードへの設定を禁止することを特徴とする警報器の機能検査方法。
【請求項２】
前記複数の機能が、第１の警報音を出力する機能と第２の警報音を出力する機能との２つの機能であって、前記切り換えスイッチは該２つの機能を選択切り換えするものであり、該２つの機能の何れか一方が前記予め決められた１つの機能であることを特徴とする請求項１に記載の警報器の機能検査方法。
【請求項３】
電池で稼働して設置領域の異常を監視し、異常が検出されたときに警報を出力する警報器であって、
複数の機能を選択切り換えするための切り換えスイッチと、外部コンピュータとの間で通信を行う通信インターフェースと、プログラムで動作して当該警報器を制御する制御部とを備え、
前記制御部は、前記通信インターフェースを介して外部コンピュータからの出荷モード要求信号の受信により、前記切り換えスイッチの設定状態を判定し、該設定状態が予め決められた１の機能を選択する状態である場合に、当該警報器を電池消耗削減状態である出荷モードに設定し、該切り換えスイッチの設定状態が上記１の機能を選択する状態でない場合に出荷モードへの設定を禁止することを特徴とする警報器。
【請求項４】
前記複数の機能が、第１の警報音を出力する機能と第２の警報音を出力する機能との２つの機能であって、前記切り換えスイッチは該２つの機能を選択切り換えするものであり、該２つの機能の何れか一方が前記予め決められた１つの機能であることを特徴とする請求項３に記載の警報器。
【発明の詳細な説明】
【技術分野】
【０００１】
本発明は、警報器に係り、特に、電池式警報器の各種の機能を出荷前に検査するための警報器の機能検査方法及びこの機能検査方法に適用される警報器に関する。
【背景技術】
【０００２】
従来、警報器において、家庭用に設置する場合を対象として音声合成音で警報を知らせる状態と、業務用に設置する場合を対象として電子音で警報を知らせる状態とを、切り換えスイッチで切換選択できるようにしたものがある（特許文献１参照）。また、このような警報器は、出荷時に納入先に応じて音声合成音または電子音のデフォルト設定に切り換え設定しておくことができる。
【先行技術文献】
【特許文献】
【０００３】
【特許文献１】特開平９−１４７２６６号公報
【発明の概要】
【発明が解決しようとする課題】
【０００４】
前述の従来の警報器にあっては、工場出荷時などに切り換えスイッチの誤操作により、デフォルト設定を間違って出荷してしまう可能性がある。例えば、出荷する所定のロット製品の中に異なるデフォルト設定となった警報器が混在してしまう可能性がある。
【０００５】
ところで、電池式警報器には、在庫期間中の電池の消耗を削減する機能があり、パーソナルコンピュータとの通信により警報器が電池消耗削減状態にされる。すなわち、この警報器の出荷前の検査時は、設定場所で警報監視動作を行うときと同じ本稼働モードとなっており、検査時に、この本稼働モードでパーソナルコンピュータからの要求コマンドを受けて、出荷モードに設定される。この出荷モードではＣＰＵがストップ状態となりセンサによる監視動作も停止され、電池の消耗が削減される。また、出荷モードに設定する前に警報器の故障の判定し、故障があれば出荷モードとしないようにしている。
【０００６】
そこで、本発明は、警報器の出荷前の検査時に各種切り換え可能な機能の設定状態を確認して正常状態となっている警報器だけを出荷できるようにすることを課題とする。
【課題を解決するための手段】
【０００７】
請求項１の警報器の機能検査方法は、複数の機能を選択切り換えするための切り換えスイッチを有するとともに、電池で稼働して設置領域の異常を監視し、異常が検出されたときに警報を出力する警報器を外部コンピュータにより検査する警報器の機能検査方法であって、前記外部コンピュータから前記警報器に出荷モード要求信号を送信し、該警報器で該出荷モード要求信号の受信により、前記切り換えスイッチの設定状態を判定し、該設定状態が予め決められた１の機能を選択する状態である場合に、当該警報器を電池消耗削減状態である出荷モードに設定し、該切り換えスイッチの設定状態が上記１の機能を選択する状態でない場合に出荷モードへの設定を禁止することを特徴とする。
【０００８】
請求項２の警報器の機能検査方法は、請求項１に記載の警報器の機能検査方法であって、前記複数の機能が、第１の警報音を出力する機能と第２の警報音を出力する機能との２つの機能であって、前記切り換えスイッチは該２つの機能を選択切り換えするものであり、該２つの機能の何れか一方が前記予め決められた１つの機能であることを特徴とする。
【０００９】
請求項３の警報器は、電池で稼働して設置領域の異常を監視し、異常が検出されたときに警報を出力する警報器であって、複数の機能を選択切り換えするための切り換えスイッチと、外部コンピュータとの間で通信を行う通信インターフェースと、プログラムで動作して当該警報器を制御する制御部とを備え、前記制御部は、前記通信インターフェースを介して外部コンピュータからの出荷モード要求信号の受信により、前記切り換えスイッチの設定状態を判定し、該設定状態が予め決められた１の機能を選択する状態である場合に、当該警報器を電池消耗削減状態である出荷モードに設定し、該切り換えスイッチの設定状態が上記１の機能を選択する状態でない場合に出荷モードへの設定を禁止することを特徴とする。
【００１０】
請求項４の警報器は、請求項３に記載の警報器であって、前記複数の機能が、第１の警報音を出力する機能と第２の警報音を出力する機能との２つの機能であって、前記切り換えスイッチは該２つの機能を選択切り換えするものであり、該２つの機能の何れか一方が前記予め決められた１つの機能であることを特徴とする。
【発明の効果】
【００１１】
請求項１の警報器の機能検査方法によれば、警報器は外部コンピュータから出荷モード要求信号を受信しても、切り換えスイッチの設定状態が予め決められた１の機能を選択する状態である場合にのみ電池消耗削減状態である出荷モードに設定されるので、上記１の機能を選択する状態を出荷先のデフォルト設定とすることで、全ての警報器を正常な状態として出荷できる。
【００１２】
請求項２の警報器の機能検査方法によれば、第１の警報音を出力する機能か、第２の警報音を出力する機能か、何れか所望の機能を出荷先のデフォルト設置として、全ての警報器を正常な状態として出荷できる。
【００１３】
請求項３の警報器によれば、請求項１と同様の効果が得られる。
【００１４】
請求項４の警報器によれば、請求項２と同様の効果が得られる。
【図面の簡単な説明】
【００１５】
【図１】本発明の実施の形態の警報器の要部ブロック図である。
【図２】同警報器の裏面図である。
【図３】実施の形態における正常に出荷モードに設定できた時のタイミングチャートである。
【図４】実施の形態における正常に出荷モードに設定できなかった時のタイミングチャートである。
【図５】実施の形態における制御部がパーソナルコンピュータと通信を行うときの要部フローチャートである。
【発明を実施するための形態】
【００１６】
次に、本発明の実施の形態を図面を参照して説明する。図１は実施の形態の警報器の要部ブロック図、図２は実施の形態の警報器の裏面図である。この実施の形態の警報器は、燃焼器具の不完全燃焼により発生する一酸化炭素の濃度を検知して警報を発するＣＯガス警報器であり、業務用のものである。
【００１７】
図２に示すように、本体ケース１の両側には外気を取り込む通気孔２が形成されている。また、本体ケース１の背面には、切り換えスイッチ１４（図１参照）の操作部３が配設されている。この操作部３は「Ｈ」の文字が印字されているハード操作部３１と「Ｓ」の文字が印字されているソフト操作部３２を有し、ハード操作部３１を押すと後述のハード（ＨＡＲＤ）の警報音に設定され、ソフト操作部３２を押すと後述のソフト（ＳＯＦＴ）の警報音に設定される。また、本体ケース１の背面には、電池収容部の電池カバー４、外部のパーソナルコンピュータ等の機器と接続する連動コネクタ５が配設されている。
【００１８】
なお、本体ケース１の図示しない前面には点検停止スイッチ１３（図１参照）をオン／オフする押しボタン、黄ＬＥＤ１６及び緑ＬＥＤ１７（図１参照）により黄色発光や緑発光を行う発光部、スピーカ２０（図１参照）の放音孔等が配設されている。
【００１９】
図１に示すように、この警報器は制御部１０を備えており、この制御部１０はＣＰＵやＲＯＭ及びＲＡＭ等からなるマイコンで構成されている。この制御部１０には、一酸化炭素の濃度を検出するためのＣＯセンサ１１、温度を検出するサーミスタ１２、点検停止スイッチ１３、切り換えスイッチ１４、各種設定データ等を記憶するＥＥＰＲＯＭ１５が接続されている。さらに、黄ＬＥＤ１６、緑ＬＥＤ１７、ＬＥＤ故障検出回路１８、スピーカ断線検出回路１９、スピーカ２０から音声を出力するための音声出力回路２１、電池電圧を入力する電池電圧入力回路２２、出荷前にパーソナルコンピュータ１００と通信を行うための通信インターフェース（Ｉ／Ｆ）部２３等が接続されている。そして、この警報器は電源としての電池３０により通常動作のモードで動作する。
【００２０】
以上の構成により、制御部１０は、通常の監視モードでは、ＣＯセンサ１１によりＣＯガス漏れの発生を検出すると、黄ＬＥＤ１６あるいは緑ＬＥＤ１７の点灯制御と音声出力回路２１及びスピーカ２０による警報音の出力を行って、警報を報知する。ここで、この警報器は業務用の警報器であり、切り換えスイッチ１４により音声出力回路２１及びスピーカ２０から出力される警報音は、急迫したメッセージからなるハード（ＨＡＲＤ）の警報音（第１の警報音）と、穏やかなメッセージからなるソフト（ＳＯＦＴ）の警報音（第２の警報音）の何れか一方に選択的に切換え設定することができる。なお、ソフトの警報音は、例えば厨房で警報が鳴って急迫したハードのメッセージが客等に聴こえるのが良くないという場合に適している。
【００２１】
そして、警報時に、切り換えスイッチ１４がハード（ＨＡＲＤ）になっているとき（以下、「音声切換えＨＡＲＤ」という。）は、「ピィーポォー、ピィーポォー、一酸化炭素中毒になる恐れがあります、ただちに換気して下さい、ガス会社に連絡して下さい、ピィーポォー」と警報音を出力する。切り換えスイッチ１４がソフト（ＳＯＦＴ）になっているとき（以下、「音声切換えＳＯＦＴ」という。）は、「ピッ、ポッ、ピッ、ポッ、空気が汚れています、換気扇が回っていることを確認ただちに換気して下さい、ピッ、ポッ」と警報音を出力する。
【００２２】
また、この警報器は、ＣＯ濃度の監視を行う通常動作のモードと、出荷後、販売店等での在庫期間中に電池３０の消耗を削減するために、出荷直前に出荷モードに設定される。この出荷モードはパーソナルコンピュータ１００との通信により設定する。この通信にはパーソナルコンピュータ１００からは各種の要求電文が送信され、警報器からなこの要求電文に対して応答電文を送信する。また、出荷モードに設定する前にパーソナルコンピュータ１００との通信により警報器の各部の検査が行われる。この検査では、例えば、制御部１０が所定の検査信号を出力することによりＣＯセンサ１１、サーミスタ１２、ＥＥＰＲＯＭ１５の故障を検出する。またＬＥＤ故障検出回路１８により、黄ＬＥＤ１６及び緑ＬＥＤ１７の故障を検出し、スピーカ断線検出回路１９によりスピーカ２０の断線を検出する。
【００２３】
そして、故障が検出された場合と、切り換えスイッチ１４により「音声切換えＳＯＦＴ」に設定されている場合には、出荷モードに設定されず、パーソナルコンピュータ１００に対してＮＧの応答電文を送信する。これにより、パーソナルコンピュータ１００では、出荷に適していない状態であることを容易に検出することができる。
【００２４】
図３は正常に出荷モードに設定できた時のタイミングチャートであり、パーソナルコンピュータ１００からの出荷モード要求電文を受けたときに、故障がなく、かつ、「音声切換えＨＡＲＤ」に設定されている場合である。まず、ＣＰＵの動作状態は「高速」となっている。また、動作モードは通常動作のモードであり、ＣＯセンサ１１による監視は動作状態となっている。パーソナルコンピュータ１００からのシリアル通信受信により出荷モード開始要求コマンドを受けると、警報器はシリアル通信で、ＯＫ応答をパーソナルコンピュータ１００に送信し、動作モードを通常動作から出荷モードに設定し、ＣＯセンサ監視を停止する。また、音声でビープ音を鳴らすとともに、緑ＬＥＤ１７と黄ＬＥＤ１６を１秒間隔で６秒間交互に点滅する。そして、点滅終了後にＣＰＵの動作状態を「ストップ」とする。
【００２５】
すなわち、出荷モードとなると、ＣＯセンサ１１の監視動作が停止され、ＣＰＵの動作が停止されることにより、低消費電力状態となる。ただし、ＣＰＵの動作が停止されていても、点検停止スイッチ１３がオンとなると、ＣＰＵには強制割込みが発生し、ＣＰＵは割込み処理により出荷モードが解除される。
【００２６】
図４は正常に出荷モードに設定できなかった時のタイミングチャートであり、パーソナルコンピュータ１００からの出荷モード要求電文を受けたときに、「音声切換えＳＯＦＴ」に設定されている場合である。まず、ＣＰＵの動作状態は「高速」となっている。また、動作モードは通常動作のモードであり、ＣＯセンサ１１による監視は動作状態となっている。パーソナルコンピュータ１００からのシリアル通信受信により出荷モード開始要求コマンドを受けると、警報器はシリアル通信で、ＮＧ応答をパーソナルコンピュータ１００に送信する。このＮＧ応答の信号には、「音声切換えＳＯＦＴ」に設定されていて出荷モードに切り換え不可能であることを示すデータが含まれており、パーソナルコンピュータ１００でその状態を確認することができる。
【００２７】
図５は制御部１０がパーソナルコンピュータ１００と通信を行うときの要部フローチャートである。まず、ステップＳ１でパーソナルコンピュータ１００との間で接続がｏｎとなるのを監視する。接続がｏｎとなると、ステップＳ２で各種の検査モード要求電文を受信したかを判定し、受信しなければステップＳ５に進む。各種の検査モータ要求電文を受信すれば、ステップＳ３で検査モードに応じた検査を行い、ステップＳ４で検査結果を記憶するとともにパーソナルコンピュータ１００に対して検査結果の応答電文を送信する。そして、ステップＳ５に進む。
【００２８】
ステップＳ５では、出荷モード要求電文を受信したかを判定し、受信しなければステップＳ１０に進む。出荷モード要求電文を受信すれば、ステップＳ６で故障が無いかを判定し、故障がなければステップＳ８に進み、故障があれば、ステップＳ７でパーソナルコンピュータ１００に対してＮＧ応答電文を送信してステップＳ１０に進む。ステップＳ８では、音声切換え「ＨＡＲＤ」に設定されているかを判定し、音声切換え「ＨＡＲＤ」に設定されていなければ、ステップＳ７でパーソナルコンピュータ１００に対してＮＧ応答電文を送信してステップＳ１０に進む。音声切換え「ＨＡＲＤ」に設定されていれば、ステップＳ９で出荷モードに設定してステップＳ１０に進む。ステップＳ１０では、パーソナルコンピュータ１００との接続がｏｆｆとなったかを判定し、ｏｆｆでなければステップＳ２に戻り、ｏｆｆであれば処理を終了する。
【００２９】
以上の処理により、故障が有るか音声切換え「ＨＡＲＤ」に設定されていなければ、出荷モードへの設定が禁止されて、パーソナルコンピュータにＮＧ応答が送信される。また、どこにも故障がなく、音声切換え「ＨＡＲＤ」に設定されていれば出荷モードに設定される。
【００３０】
以上の実施例では、ＣＯ警報器の場合を例に説明したが、火災警報器などその他の警報器であってもよい。また、音声切換え「ＨＡＲＤ」の機能と音声切換え「ＳＯＦＴ」の機能との２つの機能の選択設定状態により、出荷モードの設定及び禁止を行うようにしているが、その他の複数の機能であって、外部からの操作により機能を選択設定するようなものであれば、その他の機能に適用できる。すなわち、出荷先で正常なデフォルト設定となっているようにする場合に適用できる。
【符号の説明】
【００３１】
１０    制御部
１１    ＣＯセンサ
１４    切り換えスイッチ
２１    音声出力回路
２３    通信インターフェース
１００  パーソナルコンピュータ（外部コンピュータ）
【図１】
2011086075.tif 000003
【図２】
2011086075.tif 000004
【図３】
2011086075.tif 000005
【図４】
2011086075.tif 000006
【図５】
2011086075.tif 000007